(57)【要約】【課題】省電力のために画像モニタをオフにしている場合であっても、音声入力した内容が正しく認識されたかどうかをユーザが確認することができる携帯型電子機器を提供する。【解決手段】音声入力を検知すると音声認識用の辞書と照合する。合致する単語がない場合は認識に失敗したことをビープ音でユーザに知らせる。合致する単語があった場合は設定変更処理を行う。ＬＣＤがオンの設定となっている場合（Ｓ７でＹｅｓ）は、ビューファインダとして機能しているＬＣＤのスルー画表示を一時中止し、音声認識内容を表示する（Ｓ９）。一定時間経過したらスルー画表示に戻す（Ｓ１１）。ＬＣＤがオフの設定となっている場合（Ｓ７でＮｏ）は、ＬＣＤをオンにし（Ｓ１３）、音声認識内容を表示する（Ｓ１４）。一定時間が経過したら、ＬＣＤをオフに戻す（Ｓ１６）。【選択図】　　　図５
2004117850.tif 000002
【特許請求の範囲】
【請求項１】
入力された音声を認識する音声認識手段と、
前記音声認識手段による音声認識結果を表示可能な表示手段と、
前記表示手段への電力供給を停止させた状態で前記音声認識手段を機能させる省電力制御を行う制御手段とを備え、
前記制御手段は、
前記音声認識手段により音声認識がなされた場合には、前記省電力制御中であっても、前記表示手段への電力供給を一定時間実施し、その間に前記表示手段に前記音声認識結果を表示させることを特徴とする携帯型電子機器。
【請求項２】
前記制御手段は、
前記音声認識手段による音声認識が失敗に終った場合には、前記表示手段への電力供給を行わないことを特徴とする請求項１記載の携帯型電子機器。
【発明の詳細な説明】
【０００１】
【発明の属する技術分野】
本発明は、音声入力機能を備えた携帯型電子機器に関する。
【０００２】
【従来の技術】
従来、入力された音声の認識結果をモニタに表示することにより、認識結果に間違いがないかどうかをユーザが確認できるようにした携帯型電子機器に関する技術が知られている（特許文献１参照）。
【０００３】
【特許文献１】
特開２０００−３４７６８２号公報
【０００４】
【発明が解決しようとする課題】
しかし、上記文献記載の技術を、省電力のために撮影時等にモニタへの電力供給を停止する機能を備えたデジタルカメラ等の携帯型電子機器に適用した場合、省電力のためにモニタを機能停止させている時には、入力された音声の認識結果をモニタに表示することができないため、音声入力した内容が正しく認識されたかどうかをユーザが確認することができない。
【０００５】
本発明は、上記事情に鑑みなされたもので、その目的は、省電力のためにモニタ（表示手段）を機能停止させている場合であっても、音声入力した内容が正しく認識されたかどうかをユーザが確認することができる携帯型電子機器を提供することにある。
【０００６】
【課題を解決するための手段】
【０００７】
上記目的を達成するために、本発明の携帯型電子機器は、入力された音声を認識する音声認識手段と、前記音声認識手段による音声認識結果を表示可能な表示手段と、前記表示手段への電力供給を停止させた状態で前記音声認識手段を機能させる省電力制御を行う制御手段とを備え、前記制御手段は、前記音声認識手段により音声認識がなされた場合には、前記省電力制御中であっても、前記表示手段への電力供給を一定時間実施し、その間に前記表示手段に音声認識結果を表示させる。
【０００８】
上記のように構成したことにより、本発明の携帯型電子機器によれば、音声入力した内容が正しく認識されたかどうかをユーザが常に確認することができる。
【０００９】
本発明の携帯型電子機器において、前記制御手段は、前記音声認識手段による音声認識が失敗に終った場合には、前記表示手段への電力供給を行わないことが望ましい。このようにすることにより、音声認識が失敗したことをユーザに伝えるとともに、省電力化を図ることができる。
【００１０】
【発明の実施の形態】
以下、本発明の実施の形態について、図面を用いて説明する。図１は、本発明をデジタルカメラに適用した場合の実施の形態を例示する外観図である。
【００１１】
図１に示すように、デジタルカメラ１００の外面部には、電源スイッチ１０１、レリーズボタン１０２、モニタ用ＬＣＤ１０３、光学ビューファインダ１０４、モード設定ダイヤル１０５、上下左右キー１０６、メニューボタン１０７、実行ボタン１０８、取消ボタン１０９、マイク１１０、等が配置されている。モニタ用ＬＣＤ１０３、光学ビューファインダ１０４、マイク１１０等はカメラ本体１１１の背面部に設けられており、カメラ本体１１１の前面部には撮像用のレンズ１１３ａ（図４参照）が設けられている。
【００１２】
このデジタルカメラ１００は、モニタ用ＬＣＤ１０３と光学ビューファインダ１０４のどちらによっても撮影画角を確認でき、光学ビューファインダ１０４を使用する場合は、ユーザが省電力モードを選択することによって、モニタ用ＬＣＤ１０３をオフ（電力供給停止状態）にできるようになっている。
【００１３】
マイク１１０は、音声入力用の入力装置であり、ユーザからの指令となる音声をピックアップする。マイク１１０は、モニタ用ＬＣＤ１０３を挟んで光学ビューファインダ１０４の下方に設けられている。このため、ユーザが光学ビューファインダ１０４を覗くと、ちょうどマイク１１０がユーザの口元にくるようになっており、したがって雑音をできるだけ拾わないようにしてユーザの声を効率良く拾うことが可能である。
【００１４】
図２は、モード設定ダイヤル１０５の部分の詳細図である。モード設定ダイヤル１０５は、このデジタルカメラ１００に備わっている各種モードの中からユーザが希望のモードに設定するための操作子であり、これの回動位置を調節することにより、静止画撮影モード（Ｃａｍ）、再生モード（Ｐｌａｙ）、設定モード（Ｓｅｔｕｐ）、通信モード（ＰＣ）、及び動画撮影モード（Ｍｏｖ）の何れかのモードに設定することができるようになっている。
【００１５】
図３は、設定モード画面の表示例である。モード設定ダイヤル１０５により設定モードを選択すると、すなわち図２において、モード設定ダイヤル１０５の「Ｓｅｔｕｐ」の位置をカメラ本体１１１側の矢印１１２の位置に合わせると、この画面がモニタ用ＬＣＤ１０３に表示される。この設定モード画面上で、撮影時におけるモニタ用ＬＣＤ１０３のオン／オフのほか、マクロのオン／オフ、ストロボの発光モード、画質や記録画素数等を設定することができる。設定モードの場合は、ここで設定するＬＣＤのオン／オフによらず、モニタ用ＬＣＤ１０３はオンとなる。
【００１６】
図４は、デジタルカメラ１００の構成例を示すブロック図である。デジタルカメラ１００は、上述したモニタ用ＬＣＤ１０３やマイク１１０などの他に、撮像部１１３、信号処理部部１１４、Ａ／Ｄ変換部１１５、１１６、ストロボ制御部１１７、ストロボ１１８、圧縮／伸張部１１９、メモリカードスロット１２０、メモリカード１２１、カードインタフェース１２２、フレームメモリ１２３、ＬＣＤ制御部１２４、入出力インタフェース１２５、１２６、外部インタフェース１２７、コネクタ１２８、操作部１２９、バックライト１３０、ＣＰＵ１３１、システムメモリ１３２、不揮発性メモリ１３３、タイマ１３４、カレンダ時計１３５、ＯＳＤ１３６、システムバス１３７、およびバッテリ１３８を備えて構成されている。
【００１７】
デジタルカメラ１００は、撮像部１１３、信号処理部部１１４、Ａ／Ｄ変換部１１５によって、デジタル撮影画像信号を得る。また、ストロボ制御部１１７によってストロボ１１８を発光させて、ストロボ撮影を行うことも可能である。デジタル撮影画像信号は、圧縮／伸張部１１９によって圧縮処理が施され、メモリカードスロット１２０に装着されたメモリカード１２１にカードインタフェース１２２を介して記録する。メモリカード１２１への記録は、圧縮された画像データと撮影付属情報を含む画像ファイル単位で行われる。
【００１８】
メモリカード１２１に記録された画像データに基づく画像を表示する場合は、メモリカード１２１から読み出した画像データに対して、圧縮／伸張部１１９で伸張処理を施し、フレームメモリ１２３に書き込む。ＬＣＤ制御部１２４は、フレームメモリ１２３のデータに応じた画像をモニタ用ＬＣＤ１０３に表示させる。モニタ用ＬＣＤ１０３は、メモリカード１２１から読み出した再生画像だけでなく、Ａ／Ｄ変換部１１５から得られるスルー画像を表示することもできる。また、デジタルカメラ１００の各種状態の表示、操作メニューの表示等にも利用される。
【００１９】
入出力インタフェース１２６は、操作部１２９に接続され、デジタルカメラ１００の各種操作情報を入力するとともに、デジタルカメラ１００の状態表示用のＬＥＤ等に対する信号を出力するものである。操作部１２９は、上述した電源スイッチ１０１、レリーズボタン１０２、モード設定ダイヤル１０５、上下左右キー１０６、メニューボタン１０７、実行ボタン１０８、取消ボタン１０９などを備えている。外部インタフェース１２７は、コネクタ１２８を介してパーソナルコンピュータなど外部装置との通信を行うものである。
【００２０】
マイク１１０は、Ａ／Ｄ変換器１１６を介してシステムバス１３７に接続されている。マイク１１０から入力された音声信号は、Ａ／Ｄ変換器１１６でデジタル信号に変換された後、システムメモリ１３２内のＲＡＭに一時的に記憶される。バックライト３０は、モニタ用ＬＣＤ１０３の表示部を背後から照らす照明装置である。バックライト３０は、入出力インタフェース１２５を介してシステムバス１３７に接続されており、設定モードに応じてＣＰＵ１３１によりオン／オフ制御される。
【００２１】
ＣＰＵ１３１は、デジタルカメラ１００全体の動作を制御するもので、所定のプログラムによって動作するプロセッサを主体に構成される。ＣＰＵ１３１は、撮影動作、画像記録動作、画像表示動作を制御するだけでなく、マイク１１０から入力された音声の認識も行う。システムメモリ１３２および不揮発性メモリ１３３は、デジタルカメラ１００内での各種処理に利用されるデータ、プログラムを記憶したり、作業用メモリとして利用されたりするものである。不揮発性メモリ１３３には、音声認識用の辞書データが格納されている。タイマ１３４、カレンダ時計１３５は、各種処理タイミングの制御、各種情報の記録管理等に利用される。システムバス１３７は、デジタルカメラ１００の各要素間のデータを転送するものである。
【００２２】
以上のように構成されたデジタルカメラ１００の撮影モードにおける動作について説明する。図５は、そのフローチャートを示している。ここでは、撮影モードにおいては常時音声入力が有効であるものとして説明するが、ユーザによる何らかの操作、たとえばレリーズボタン１０２を半押しする操作が行われている間だけ、音声入力を有効とするようにしてもよい。
【００２３】
デジタルカメラ１００は、何らかの音声入力を検知すると（ステップＳ１でＹｅｓ）、入力された音声をメモリに取り込み（ステップＳ２）、音声認識用の辞書と照合する（ステップＳ３）。音声認識用の辞書に合致する単語がない場合は（ステップＳ４でＮｏ）、無効な音声入力とみなし、ビープ音を鳴らしてユーザに音声認識に失敗したことを知らせるとともに（ステップＳ５）、再び音声入力待ちとなる。
【００２４】
音声認識用の辞書に合致する単語があった場合は（ステップＳ４でＹｅｓ）、その認識結果に合致した設定変更処理を行う（ステップＳ６）。たとえば「ストロボオート」という単語を認識した場合は、ストロボをＡＵＴＯに設定する。このような辞書の単語に対するデジタルカメラ１００の設定内容は、テーブルとして不揮発性メモリ１３３に格納されている。
【００２５】
設定変更処理を行った後、ＬＣＤがオン（ＯＮ）の設定となっている場合は（ステップＳ７でＹｅｓ）、タイマ１３４をスタートさせるとともに（ステップＳ８）、ビューファインダとして機能しているモニタ用ＬＣＤ１０３のスルー画表示を一時中止して、音声認識の結果設定された内容をモニタ用ＬＣＤ１０３に表示する（ステップＳ９）。たとえば、設定後の図３のような設定モード画面を表示する。このようにして音声認識内容を表示した後、タイマ１３４によって一定時間が経過したことを確認すると（ステップＳ１０でＹｅｓ）、スルー画表示に復帰させる（ステップＳ１１）。
【００２６】
一方、ＬＣＤがオフ（ＯＦＦ）の設定となっている場合は（ステップＳ７でＮｏ）、タイマ１３４をスタートさせるとともに（ステップＳ１２）、モニタ用ＬＣＤ１０３をオンにし（ステップＳ１３）、音声認識の結果設定された内容をモニタ用ＬＣＤ１０３に表示する（ステップＳ１４）。この場合、音声認識内容を表示した後、タイマ１３４によって一定時間が経過したことを確認すると（ステップＳ１５でＹｅｓ）、モニタ用ＬＣＤ１０３をオフに戻す（ステップＳ１６）。
【００２７】
上記のように、この実施の形態のデジタルカメラ１００では、音声入力がありその内容を認識できた場合には、モニタ用ＬＣＤ１０３をオフにして撮影する省電力モードであっても、モニタ用ＬＣＤ１０３を一定時間オンにし、その間に音声認識結果を表示させるようにしたので、音声入力した内容が正しく認識されたかどうかをユーザが常に確認することができる。したがって、ユーザはデジタルカメラ１００のバッテリ１３８の消耗を抑えつつ、安心してデジタルカメラ１００を使用することができる。
【００２８】
なお、上記実施の形態では、本発明をデジタルカメラに適用した場合を例にとり説明したが、本発明は携帯電話機やＰＤＡ（Ｐｅｒｓｏｎａｌ　Ｄｉｇｉｔａｌ　Ａｓｓｉｓｔａｎｔ）などその他の携帯型電子機器にも有効に適用可能である。
【００２９】
【発明の効果】
以上説明したように、本発明の携帯型電子機器によれば、音声入力した内容が正しく認識されたかどうかをユーザが常に確認することができる。
【図面の簡単な説明】
【図１】本発明をデジタルカメラに適用した場合の実施の形態を例示する外観図である。
【図２】デジタルカメラのモード設定ダイヤルの部分の詳細図である。
【図３】設定モード画面の表示例を示す図である。
【図４】デジタルカメラの構成例を示すブロック図である。
【図５】デジタルカメラの撮影モードにおける動作内容を例示するフローチャートである。
【符号の説明】
１００：デジタルカメラ（携帯型電子機器）
１０３：モニタ用ＬＣＤ（表示手段）
１１０：マイク（音声入力手段）
１３１：ＣＰＵ（音声認識手段、制御手段）
【図１】
2004117850.tif 000003
【図２】
2004117850.tif 000004
【図３】
2004117850.tif 000005
【図４】
2004117850.tif 000006
【図５】
2004117850.tif 000007